(57)【要約】【課題】解体後に折畳んだ包装箱の膨らみを防止する。【解決手段】包装箱１０は、底板１２と、一対の側板１４Ａ，１４Ｂと、天板１６と、一対の下側端板２１Ａ，２１Ｂと、一対の上側端板２２Ａ，２２Ｂとを備えている。天板１６には、第１破断部３６と一対の第２破断部４２，４２とが形成されている。下側端板２１Ａ，２１Ｂには、一対の第３破断部４８，４８が形成されている。上側端板２２Ａ，２２Ｂには、第１補助線５５が形成されている。側板１４Ａ，１４Ｂにはロック片６０とロック穴６８とが形成されている。【選択図】図１Ａ
2018002260.tif 000002
【特許請求の範囲】
【請求項１】
底板と、
前記底板の両側の第１辺に連続している一対の側板と、
前記一対の側板における前記第１辺に沿って延びる第２辺に連続している天板と、
前記底板における前記第１辺に対して交差する方向に延びる第３辺に連続している一対の下側端板と、
前記天板における前記第３辺に沿って延びる第４辺に連続している一対の上側端板とを備え、
前記天板には、前記一対の上側端板のうちの一方から他方に向けて延びる第１破断部と、前記一対の側板のうちの一方から他方に向けて前記第４辺上を延びる一対の第２破断部とが形成され、
前記下側端板には、前記下側端板の先端から前記第３辺の端部に向けて延びる一対の第３破断部が形成され、
前記上側端板には、前記天板から前記上側端板の先端に向けて延びる第１補助線が形成され、
前記一対の側壁のうち、一方にロック片が形成され、他方に前記ロック片が係止可能なロック穴が形成されている、包装箱。
【請求項２】
前記底板には、前記一対の下側端板のうちの一方から他方に向けて延びる第２補助線が形成されている、請求項１に記載の包装箱。
【請求項３】
前記下側端板の前記一対の第３破断部間には、前記下側端板の先端から前記底板に向けて延びる第３補助線が設けられており、
前記第３補助線と前記第１補助線とは、前記第３辺に対して交差する方向へ直線的に延び、
前記第３補助線の端部と前記第１辺に沿って延びる前記第２補助線の端部とは、前記第３辺上で交差している、請求項２に記載の包装箱。
【請求項４】
前記ロック片は、
一端が前記側板に連続している基部と、
前記基部の他端側に設けられ、前記一端から前記他端に向けた方向に対して交差する方向の外側へ突出する突部と
を備える、請求項１から３のいずれか１項に記載の包装箱。
【請求項５】
前記第１辺に対して交差する方向に延びる前記側板の第５辺に連続し、前記下側端板と前記上側端板の内面又は外面に固着された一対のフラップを備え、
前記側板と前記フラップには、前記一対のフラップのうちの一方から他方にかけて延びる帯状破断部が設けられており、
前記ロック片と前記ロック穴とは、前記帯状破断部によって前記側板と前記フラップとを破断するための操作部に形成されている、請求項１から４のいずれか１項に記載の包装箱。
【発明の詳細な説明】
【技術分野】
【０００１】
本発明は、包装箱に関する。
【背景技術】
【０００２】
特許文献１には、底板、一対の側板、及び天板からなる四角筒状の周壁の両端を、４枚のフラップからなる端板によって塞いだ包装箱が開示されている。天板には、包装箱の上面を開封するための第１破断部が設けられている。また、天板に連続するフラップと底板に連続するフラップには、使用後の包装箱を解体するための第２破断部が設けられている。第２破断部によって端板を破断することで、包装箱を薄く折畳むことができる。
【先行技術文献】
【特許文献】
【０００３】
【特許文献１】特開２０１０−１５９０７０号公報
【発明の概要】
【発明が解決しようとする課題】
【０００４】
しかしながら、特許文献１の包装箱は、折畳状態で形成材料による弾性力が作用することで膨らむため、折畳んだ状態を保持できない。
【０００５】
本発明は、解体後に折畳んだ包装箱の膨らみを防止することを課題とする。
【課題を解決するための手段】
【０００６】
本発明の包装箱は、底板と、前記底板の両側の第１辺に連続している一対の側板と、前記一対の側板における前記第１辺に沿って延びる第２辺に連続している天板と、前記底板における前記第１辺に対して交差する方向に延びる第３辺に連続している一対の下側端板と、前記天板における前記第３辺に沿って延びる第４辺に連続している一対の上側端板とを備えている。前記天板には、前記一対の上側端板のうちの一方から他方に向けて延びる第１破断部と、前記一対の側板のうちの一方から他方に向けて前記第４辺上を延びる一対の第２破断部とが形成されている。前記下側端板には、前記下側端板の先端から前記第３辺の端部に向けて延びる一対の第３破断部が形成されている。前記上側端板には、前記天板から前記上側端板の先端に向けて延びる第１補助線が形成されている。前記一対の側壁のうち、一方にはロック片が形成され、他方には前記ロック片が係止可能なロック穴が形成されている。
【０００７】
この包装箱によれば、第１破断部と第２破断部によって天板を破断することで、包装箱の上面を大きく開封できるため、包装箱内に収容した物品を簡単に取り出すことができる。この包装箱を解体する場合、第３破断部に沿って下側端板を、底板に連続する第１部分と他の第２部分とに破断する。その後、第１補助線に沿って上側端板を谷折り又は山折りするとともに、底板を折り曲げる。
【０００８】
上側端板を谷折りすることで、側板間に端板を折り込んだ第１折畳状態では、側板から端板が突出しないため、側板を正対する方向から見た面積を小さくすることができる。上側端板を山折りすることで、側板の外側に端板を突出させた第２折畳状態では、側板間に端板が積層されないため、薄く平坦な状態にすることができる。そして、一方の側板のロック片を他方の側板のロック穴に係止することで、弾性的に膨らむことを防止し、折畳状態を確実に保持できる。
【０００９】
前記底板には、前記一対の下側端板のうちの一方から他方に向けて延びる第２補助線が形成されていてもよい。この態様によれば、包装箱を解体する際に、底板を折り曲げる作業を容易に行うことができる。
【００１０】
この場合、前記下側端板の前記一対の第３破断部間には、前記下側端板の先端から前記底板に向けて延びる第３補助線が設けられていることが好ましい。前記第３補助線と前記第１補助線とは、前記第３辺に対して交差する方向へ直線的に延びている。前記第３補助線の端部と前記第１辺に沿って延びる前記第２補助線の端部とは、前記第３辺上で交差している。この態様によれば、包装箱を解体する際に、第２補助線に沿って底板を折り曲げると同時に、第３補助線に沿って下側端板の第１部分を簡単に折り曲げることができる。
【００１１】
前記ロック片は、一端が前記側板に連続している基部と、前記基部の他端側に設けられ、前記一端から前記他端に向けた方向に対して交差する方向の外側へ突出する突部とを備えるようにしてもよい。この態様によれば、突部をロック穴の縁に確実に係止できるため、第１折畳状態のように、側板に端板を積層することで弾性力が大きくなっても、折畳んだ状態を確実に保持できる。
【００１２】
前記第１辺に対して交差する方向に延びる前記側板の第５辺に連続し、前記下側端板と前記上側端板の内面又は外面に固着された一対のフラップを備えていてもよい。前記側板と前記フラップには、前記一対のフラップのうちの一方から他方にかけて延びる帯状破断部が設けられている。前記ロック片と前記ロック穴とは、前記帯状破断部によって前記側板と前記フラップとを破断するための操作部に形成されている。この態様によれば、帯状破断部によって側板とフラップを破断することで、包装箱をトレイ状に開封することができる。また、帯状破断部によって破断するための操作部にロック片の機能を持たせているため、多くの切断線を設けることによる包装箱の剛性の低下を防止できる。
【発明の効果】
【００１３】
本発明では、第１から第３の破断部によって解体した包装箱を薄く折畳むことができ、側壁に設けたロック片をロック穴に係止することで、包装箱が弾性的に膨らむことを防止できる。よって、包装箱の折畳状態を確実に保持できる。
【図面の簡単な説明】
【００１４】
【図１Ａ】本実施形態の包装箱の上方斜視図。
【図１Ｂ】図１Ａの包装箱の下方斜視図。
【図２】図１Ａの包装箱のブランクを示す平面図。
【図３Ａ】段ボールシートを示す断面図。
【図３Ｂ】段ボールシートに形成した汎用罫線を示す断面図。
【図３Ｃ】段ボールシートに形成した逆罫線を示す断面図。
【図３Ｄ】段ボールシートに形成した切断線を示す断面図。
【図３Ｅ】段ボールシートに形成したライナカット線を示す断面図。
【図４】包装箱の第１の開封状態を示す斜視図。
【図５】包装箱の第２の開封状態を示す斜視図。
【図６】包装箱の解体工程を示す斜視図。
【図７Ａ】第１折畳状態とする過程を示す平面図。
【図７Ｂ】第１折畳状態を示す斜視図。
【図８Ａ】第２折畳状態とする過程を示す平面図。
【図８Ｂ】第２折畳状態を示す斜視図。
【発明を実施するための形態】
【００１５】
以下、本発明の実施の形態を図面に従って説明する。
【００１６】
図１Ａ及び図１Ｂは、本実施形態に係るラップアラウンド形式の包装箱１０を示す。この包装箱１０は、底板１２、一対の側板１４Ａ，１４Ｂ、及び天板１６からなる周壁を、端板２０Ａ，２０Ｂによって塞いだ直方体状である。本実施形態の包装箱１０は、２種類の開封方法で、図４に示す第１開封状態と、図５に示す第２開封状態にすることができる。また、第２開封状態では、図７Ｂ又は図８Ｂに示すように、薄く折畳んだ状態に保持できるようにしている。
【００１７】
（包装箱の全体構成）
包装箱１０は、紙製の段ボールシート１からなり、紙器打抜装置によって図２に示す一枚のブランクとして打ち抜かれる。図３Ａに示すように、段ボールシート１は、外面側に位置する表ライナ２と、内面側に位置する裏ライナ３の間に、波状の中しん４を配設した構成である。図２中の一点鎖線は、図３Ｂに示すように、肉厚を圧縮するように裏ライナ３の方から罫を入れて形成した汎用罫線である。図２中の細い実線は、図３Ｃに示すように、肉厚を圧縮するように表ライナ２の方から罫を入れて形成した逆罫線である。図２中の太い実線は、図３Ｄに示すように、裏ライナ３から表ライナ２にかけて刃を入れて形成した切断線である。図２中の二点鎖線は、図３Ｅに示すように、刃を入れて裏ライナ３だけを切断したライナカット線（部分カット線）である。
【００１８】
図１Ａ及び図１Ｂに示すように、包装箱１０は、長方形状の底板１２を備えている。この底板１２の両側には、汎用罫線からなる第１折曲線１５を介して、長方形状の側板１４Ａ，１４Ｂが連設されている。側板１４Ａ，１４Ｂの上端には、汎用罫線からなる第２折曲線１７を介して、長方形状の天板１６が連設されている。図２のブランクを参照すると、これらは左側から側板１４Ａ、底板１２、側板１４Ｂ、及び天板１６の順番で連設されている。一端の側板１４Ａには、他端の天板１６と連続させるための固着板１８が、第２折曲線１７を介して連設されている。
【００１９】
端板２０Ａ，２０Ｂは、下側端板２１Ａ，２１Ｂ、上側端板２２Ａ，２２Ｂ、及びフラップ２４Ａ〜２５Ｂによって構成されている。下側端板２１Ａ，２１Ｂは、概ね横長の長方形状であり、汎用罫線からなる第３折曲線２６を介して底板１２の端縁に連設されている。上側端板２２Ａ，２２Ｂは、概ね横長の長方形状であり、第４折曲線２７を介して天板１６の端縁に連設されている。フラップ２４Ａ〜２５Ｂは、概ね縦長の長方形状であり、汎用罫線からなる第５折曲線２８を介して側板１４Ａ，１４Ｂの端縁に連設されている。なお、本実施形態の第４折曲線２７は、後述する第２破断部４２の第１切断線によって構成されている。
【００２０】
下側端板２１Ａ，２１Ｂにおける第３折曲線２６から先端までの寸法と、上側端板２２Ａ，２２Ｂにおける第４折曲線２７から先端までの寸法とは、同一である。また、下側端板２１Ａ，２１Ｂと上側端板２２Ａ，２２Ｂにはそれぞれ、先端縁に切欠部２３が形成されている。第１のフラップ２４Ａ，２４Ｂにおける第４折曲線２７から先端までの寸法と、第２のフラップ２５Ａ，２５Ｂにおける第４折曲線２７から先端までの寸法とは、同一であり、切欠部２３を閉塞できる長さに設定されている。
【００２１】
この包装箱１０において、第１折曲線１５は、底板１２の両側に位置する第１辺である。第２折曲線１７は、第１折曲線１５に沿って平行に延びる側板１４Ａ，１４Ｂの第２辺である。第３折曲線２６は、第１折曲線１５に対して直交する方向に延びる底板１２の第３辺である。第４折曲線２７は、第３折曲線２６に沿って平行に延び、第２折曲線１７に対して直交する方向に延びる天板１６の第４辺である。第５折曲線２８は、第１から第４の折曲線１５，１７，２６，２７に対して交差する方向に延びる側板１４Ａ，１４Ｂの第５辺である。
【００２２】
包装箱１０を組み立てる際には、例えば底板１２上に物品を配置した状態で、底板１２に対して側板１４Ａ，１４Ｂを折り曲げる。ついで、側板１４Ａに対して固着板１８を折り曲げた後、側板１４Ｂに対して天板１６を折り曲げ、これらを熱溶融樹脂等の接着剤によって接着（ホットメルト）する。ついで、側板１４Ａ，１４Ｂに対してフラップ２４Ａ〜２５Ｂを折り曲げた後、底板１２に対して下側端板２１Ａ，２１Ｂを折り曲げるとともに、天板１６に対して上側端板２２Ａ，２２Ｂを折り曲げる。そして、重畳した端板２１Ａ〜２２Ｂとフラップ２４Ａ〜２５Ｂとを、接着剤によって接着する。
【００２３】
このように封緘した包装箱１０の開封性を向上するために、胴体破断用の帯状破断部３０と、天板破断用の第１及び第２の破断部３６，４２とが設けられている。包装箱１０は、帯状破断部３０に沿って破断することで、図４に示すように、上側部分を分離した第１開封状態になる。また、包装箱１０は、第１及び第２の破断部３６，４２に沿って破断することで、図５に示すように、上面だけを開口した第２開封状態になる。そして、本実施形態では、第２開封状態の包装箱１０を薄く折畳むために、解体用の第３破断部４８と補助線５５〜５７とが設けられている。
【００２４】
（帯状破断部の詳細）
帯状破断部３０は、包装箱１０を底板１２側と天板１６側に２分割するものである。図１Ａから図２に示すように、帯状破断部３０は、側板１４Ａ，１４Ｂとフラップ２４Ａ〜２５Ｂに形成した一対のライナカット線３１，３１によって、他の部分と区画されている。ライナカット線３１は、第１のフラップ２４Ａ，２４Ｂと第２のフラップ２４Ａ，２５Ｂのうち、一方の先端縁から他方の先端縁にかけて設けられている。一対のライナカット線３１，３１の間隔は、下側端板２１Ａ，２１Ｂの切欠部２３の縁と上側端板２２Ａ，２２Ｂの切欠部２３の縁の間隔よりも狭い。一対のライナカット線３１，３１のうち、一方は下側端板２１Ａ，２１Ｂの切欠部２３と概ね同一高さに位置され、他方は上側端板２２Ａ，２２Ｂの切欠部２３と概ね同一高さに位置されている。
【００２５】
側板１４Ａ，１４Ｂには、横向きＨ字形状の第１操作部３２が設けられている。この第１操作部３２は、ライナカット線３１，３１に沿って延びる４本の第１切断線３３ａ〜３３ｄと、ライナカット線３１に対して直交する方向に延びる１本の第２切断線３４とを備えている。第２切断線３４によって切断された帯状破断部３０の端部を把持して外向き引っ張ることで、ライナカット線３１，３１に沿って側板１４Ａ，１４Ｂ及びフラップ２４Ａ〜２５Ｂを破断できる。これにより図４に示すように、包装箱１０は、トレイ状に開封される。この第１開封状態では、包装箱１０内に収容した物品の上側部分が大きく露出するため、物品を簡単に取り出すことができる。
【００２６】
（天板破断用の破断部の詳細）
図１Ａから図２に示すように、天板１６には、中央部分を長手方向に破断するための第１破断部３６と、両端部分を短手方向に破断するための第２破断部４２とが形成されている。
【００２７】
第１破断部３６は、上側端板２２Ａ，２２Ｂのうち、一方から他方に向けて、第２折曲線１７に沿って平行に延びている。この第１破断部３６は、所定間隔をあけてＹ字形状の切断部３７を複数設けたものである。この切断部３７は、第２折曲線１７に沿って延びる第１切断線と、この第１切断線における天板１６の中央側の端に設けられた一対の第２切断線とを備えている。
【００２８】
第１破断部３６の中央には、天板１６の破断操作を行うための第２操作部３８が設けられている。この第２操作部３８は、第１破断部３６の中央部分に位置し、第２折曲線１７に沿って平行に延びる折曲線３９と、この折曲線３９の一端から他端にかけて湾曲して延びるミシン目状の破断線４０とで、天板１６の他の部分と区画されている。なお、折曲線３９は、汎用罫線上に間隔をあけて切断線を設けたリード罫からなる。
【００２９】
第２破断部４２は、一対の側板１４Ａ，１４Ｂのうち、一方から他方に向けて延びている。この第２破断部４２は、概ねＬ字形状をなす複数の切断部４３を有する片ジッパーからなる。切断部４３は、第４折曲線２７を構成する第１切断線と、この第１切断線における第１破断部３６側の端から天板１６上に突出する第２切断線とを備えている。
【００３０】
第２操作部３８に手を差し込んで破断線４０に沿って天板１６を破断し、形成された穴の縁を持って天板１６を外向きに引っ張る。これにより、第１破断部３６に沿って天板１６が第４折曲線２７まで破断され、側板１４Ａに連続する第１部分４５と、側板１４Ｂに連続する第２部分４６に、天板１６が分割される。引き続いて外向きの操作を続けると、第２破断部４２に沿って天板１６が第２折曲線１７まで破断される。これにより、図５に示すように、天板１６の第１部分４５と第２部分４６とが端板２０Ａ，２０Ｂから分離され、包装箱１０の上面が開封される。この第２開封状態では、包装箱１０の上面を大きく開封できるため、内部に収容した物品を簡単に取り出すことができる。
【００３１】
（解体手段の詳細）
図１Ａから図２に示すように、第２開封状態の包装箱１０を薄く折畳むために、下側端板２１Ａ，２１Ｂには一対の第３破断部４８，４８が設けられている。また、包装箱１０の折畳性を向上するために、上側端板２２Ａ，２２Ｂには第１補助線５５が設けられ、底板１２には第２補助線５６が設けられ、下側端板２１Ａ，２１Ｂには第３補助線５７が設けられている。そして、包装箱１０を薄く折畳んだ状態に保持するために、側板１４Ａ，１４Ｂにはロック片６０とロック穴６８とが設けられている。
【００３２】
第３破断部４８は、下側端板２１Ａ，２１Ｂの先端から第３折曲線２６の端部に向けて傾斜している。第３破断部４８は、概ね下向きに湾曲した曲線状をなすように、複数の切断部４９を設けた片ジッパーからなる。この切断部４９は、所定間隔をあけて設けた第１切断線と、この第１切断線の上端から下側端板２１Ａ，２１Ｂの中央に向けて延びる第２切断線とを備えている。
【００３３】
図６に示すように、第３破断部４８，４８に沿って下側端板２１Ａ，２１Ｂを破断することで、下側端板２１Ａ，２１Ｂは、第３破断部４８，４８間に位置する第１部分５０と、第３破断部４８の外側に位置する第２部分５１とに分割される。ここで、下側端板２１Ａ，２１Ｂとフラップ２４Ａ〜２５Ｂを接着する際には、第２部分５１だけに接着部５３が位置し、第１部分５０には接着部５３が形成されないようにする。これにより、第１部分５０は底板１２に連続し、第２部分５１はフラップ２４Ａ〜２５Ｂを介して側板１４Ａ，１４Ｂに連続する。また、底板１２と端板２０Ａ，２０Ｂとは分離され、底板１２は、第１折曲線１５を介して側板１４Ａ，１４Ｂだけに連続し、端板２０Ａ，２０Ｂは、第５折曲線２８を介して側板１４Ａ，１４Ｂだけに連続する。
【００３４】
図１Ａから図２に示すように、第１補助線５５は逆罫線からなり、天板１６から上側端板２２Ａ，２２Ｂの先端に向けて延びている。詳しくは、第１補助線５５は、第４折曲線２７近傍から上側端板２２Ａ，２２Ｂの先端近傍にかけて、第４折曲線２７に対して直交する方向に延びている。
【００３５】
第２補助線５６は汎用罫線からなり、一対の下側端板２１Ａ，２１Ｂのうち、一方から他方に向けて延びている。詳しくは、第２補助線５６は、一対の第３折曲線２６，２６のうち、一方の近傍から他方の近傍にかけて、第１折曲線１５に沿って平行に延びている。
【００３６】
第３補助線５７は逆罫線からなり、第３破断部４８，４８間において、下側端板２１Ａ，２１Ｂの先端から底板１２に向けて延びている。詳しくは、第３補助線５７は、下側端板２１Ａ，２１Ｂの先端近傍から第３折曲線２６近傍にかけて、第３折曲線２６に対して直交する方向に延びている。
【００３７】
第１補助線５５と第３補助線５７とは、互いに直線的（延長線上）に延びるように形成されている。第２補助線５６と第３補助線５７とは、互いの延長線が第３折曲線２６上で交差するように形成されている。また、図２のブランクを参照すると、第２補助線５６と第３補助線５７とは、互いに直線的（延長線上）に延びるように形成されている。
【００３８】
ロック片６０とロック穴６８とは、側板１４Ａ，１４Ｂに設ける第１操作部３２の形状を調整することで形成されている。即ち、帯状破断部３０に沿って破断するための第１操作部３２にロック機能を持たせている。詳しくは、図７Ｂ及び図８Ｂを併せて図１Ａから図２を参照すると、第１操作部３２は、側板１４Ａ，１４Ｂを正対する方向から見て、第２切断線３４の右側部分をロック片６０とし、第２切断線３４の左側部分をロック穴６８として機能するようにしている。側板１４Ａのロック片６０は、折畳状態で側板１４Ｂのロック穴６８と対向し、側板１４Ｂのロック片６０は、折畳状態で側板１４Ａのロック穴６８と対向する。
【００３９】
ロック片６０は、一対の第１切断線３３ａ，３３ｂと第２切断線３４とを利用している。第１切断線３３ａ，３３ｂは、ライナカット線３１に沿って平行に延びている。第１切断線３３ａ，３３ｂには、第２切断線３４と反対側に位置する一端間に、汎用罫線からなる折曲線６１が設けられている。これら第１切断線３３ａ，３３ｂと折曲線６１により、ロック片６０の基部６２が区画されている。この基部６２は、折曲線６１を介して側板１４Ａ，１４Ｂに連続している。
【００４０】
第１切断線３３ａ，３３ｂには、第２切断線３４が位置する他端側に一対の突部６３，６３が設けられている。この突部６３は、第１切断線３３ａ，３３ｂの一端から他端に向けた方向に対して交差する方向の外側へ突出している。突部６３は、第３から第５の切断線６４〜６６によって区画されている。第３切断線６４は、第１切断線３３ａ，３３ｂの他端から、第１切断線３３ａ，３３ｂに対して直交方向に延びている。第４切断線６５は、第３切断線６４の近傍から第２切断線３４に向けて、ライナカット線３１に沿って平行に延びている。第５切断線６６は、第４切断線６５の端部から第２切断線３４の端部にかけて傾斜して設けられている。
【００４１】
ロック穴６８は、一対の第１切断線３３ｃ，３３ｄと第２切断線３４とを利用している。第１切断線３３ｃ，３３ｄは、第２切断線３４と反対側に位置する一端が、第２切断線３４側に位置する他端よりもライナカット線３１の近傍に位置するように、傾斜している。第１切断線３３ｃ，３３ｄの他端はそれぞれ、第２切断線３４の端部近傍に位置している。
【００４２】
次に、第２開封状態の包装箱１０を解体する作業について説明する。
【００４３】
図６に示すように、第２開封状態の包装箱１０を解体する場合、下側端板２１Ａ，２１Ｂにおける第３破断部４８，４８間の先端部分を把持し、外側下方に引っ張る。これにより、第３破断部４８，４８に沿って下側端板２１Ａ，２１Ｂを破断し、下側端板２１Ａ，２１Ｂを第１部分５０と第２部分５１とに分離する。
【００４４】
ついで、図７Ａに示すように、第３折曲線２６に沿って第１部分５０を包装箱１０内に折り込み、第１部分５０を底板１２上に重ねる。ついで、底板１２の半分が側板１４Ａと面一になり、底板１２の残りの半分が側板１４Ｂと面一になるように、第２補助線５６に沿って底板１２を山折りする。すると、第１部分５０が同時に、第３補助線５７に沿って山折りされる。また、底板１２の折り曲げと同時に、上側端板２２Ａ，２２Ｂが一対の側板１４Ａ，１４Ｂ間に位置するように、第１補助線５５に沿って上側端板２２Ａ，２２Ｂを谷折りする。すると、フラップ２４Ａ〜２５Ｂを介して下側端板２１Ａ，２１Ｂの第２部分５１も、一対の側板１４Ａ，１４Ｂ間に折り込まれる。これにより、図７Ｂに示すように、側板１４Ａ，１４Ｂ間に端板２０Ａ，２０Ｂを積層した第１折畳状態にすることができる。
【００４５】
又は、図８Ａに示すように、下側端板２１Ａ，２１Ｂの第１部分５０が底板１２と面一になるように、外方に突出した状態とする。ついで、第２補助線５６に沿って底板１２を山折りするとともに、第３補助線５７に沿って第１部分５０を山折する。また、底板１２の折り曲げと同時に、上側端板２２Ａ，２２Ｂが側板１４Ａ，１４Ｂと面一になるように、第１補助線５５に沿って上側端板２２Ａ，２２Ｂを山折りする。すると、フラップ２４Ａ〜２５Ｂを介して下側端板２１Ａ，２１Ｂの第２部分５１も、側板１４Ａ，１４Ｂの外方に突出した状態になる。これにより、図８Ｂに示すように、薄く平坦な第２折畳状態にすることができる。
【００４６】
第１又は第２の折畳状態にすると、例えば側板１４Ｂの第１操作部３２のロック片６０を側板１４Ａに向けて押し込む。すると、図７Ｂ及び図８Ｂに示すように、ロック片６０が対向する側板１４Ａのロック穴６８内の舌片６９に当接し、この舌片６９を外向きに折り曲げる。これにより、側板１４Ｂのロック片６０が側板１４Ａのロック穴６８を貫通し、ロック穴６８の縁にロック片６０の突部６３が係止する。よって、包装箱１０の形成材料である段ボールシート１の腰（弾性力）により、側板１４Ａ，１４Ｂが離れる方向に膨らむことを防止できる。
【００４７】
以上のように、本実施形態の包装箱１０は、第２開封状態の包装箱１０を２種類の形態で折畳むことができ、ロック片６０をロック穴６８にロックさせることで折畳状態を確実に保持できる。よって、折畳んだ包装箱１０が膨らんで嵩張ることを防止できる。また、第１折畳状態では、側板１４Ａ，１４Ｂから端板２０Ａ，２０Ｂが突出しないため、側板１４Ａ，１４Ｂを正対する方向から見た面積を小さくすることができる。一方、第２折畳状態では、側板１４Ａ，１４Ｂ間に端板２０Ａ，２０Ｂが積層されないため、厚さ方向の嵩張りも防止できる。
【００４８】
また、本実施形態では、上側端板２２Ａ，２２Ｂに第１補助線５５を設け、底板１２に第２補助線５６を設け、下側端板２１Ａ，２１Ｂに第３補助線５７を設けているため、包装箱１０を第１折畳状態又は第２折畳状態にする際の作業性を向上できる。しかも、ロック片６０は、外側へ突出する突部６３を備える構成であるため、側板１４Ａ，１４Ｂ間に端板２０Ａ，２０Ｂを積層することで弾性力が大きくなった第１折畳状態でも、確実に折畳んだ状態に保持できる。さらに、ロック片６０及びロック穴６８は、第１開封状態とするための第１操作部３２にロック機能を持たせているため、多くの切断線を設けることによる包装箱１０の剛性の低下を防止できる。
【００４９】
なお、本発明の包装箱１０は、前記実施形態の構成に限定されず、種々の変更が可能である。
【００５０】
例えば、第１破断部３６は、一対の第２折曲線１７，１７のうち、一方の第２折曲線１７上に設けてもよいし、一方の第２折曲線１７へ偏った位置に設けてもよい。また、第１破断部３６、第２破断部４２、及び第３破断部４８は、間隔をあけて設けた複数の切断線を備えるミシン目状破断線としてもよく、その構成は希望に応じて変更が可能である。また、第２補助線５６及び第３補助線５７は、設けない構成としてもよい。また、帯状破断部３０は、裏ライナ３に接着した樹脂製のカットテープを用いてもよいし、ジッパー等の破断線としてもよい。また、ロック片６０及びロック穴６８は、一対の側板１４Ａ，１４Ｂのうち、一方だけにロック片６０を設け、他方だけにロック穴６８を設けてもよい。また、フラップ２４Ａ〜２５Ｂは、下側端板２１Ａ，２１Ｂと上側端板２２Ａ，２２Ｂの外面側に接着してもよい。
【００５１】
また、包装箱１０は、直方体状に限らず、八角柱状としてもよい。そして、前記実施形態では、紙製の段ボールシートを打ち抜いて包装箱１０を形成したが、樹脂製の段ボールシート１を打ち抜いて形成してもよい。また、段ボールシート１に限られず、単層の厚紙や樹脂シートにより形成してもよい。
【符号の説明】
【００５２】
１…段ボールシート
２…表ライナ
３…裏ライナ
４…中しん
１０…包装箱
１２…底板
１４Ａ，１４Ｂ…側板
１５…第１折曲線（第１辺）
１６…天板
１７…第２折曲線（第２辺）
１８…固着板
２０Ａ，２０Ｂ…端板
２１Ａ，２１Ｂ…下側端板
２２Ａ，２２Ｂ…上側端板
２３…切欠部
２４Ａ〜２５Ｂ…フラップ
２６…第３折曲線（第３辺）
２７…第４折曲線（第４辺）
２８…第５折曲線（第５辺）
３０…帯状破断部
３１…ライナカット線
３２…第１操作部
３３ａ〜３３ｄ…第１切断線
３４…第２切断線
３６…第１破断部
３７…切断部
３８…第２操作部
３９…折曲線
４０…破断線
４２…第２破断部
４３…切断部
４５…第１部分
４６…第２部分
４８…第３破断部
４９…切断部
５０…第１部分
５１…第２部分
５３…接着部
５５…第１補助線
５６…第２補助線
５７…第３補助線
６０…ロック片
６１…折曲線（一端）
６２…基部
６３…突部
６４…第３切断線
６５…第４切断線
６６…第５切断線
６８…ロック穴
６９…舌片
【図１Ａ】
2018002260.tif 000003
【図１Ｂ】
2018002260.tif 000004
【図２】
2018002260.tif 000005
【図３Ａ】
2018002260.tif 000006
【図３Ｂ】
2018002260.tif 000007
【図３Ｃ】
2018002260.tif 000008
【図３Ｄ】
2018002260.tif 000009
【図３Ｅ】
2018002260.tif 000010
【図４】
2018002260.tif 000011
【図５】
2018002260.tif 000012
【図６】
2018002260.tif 000013
【図７Ａ】
2018002260.tif 000014
【図７Ｂ】
2018002260.tif 000015
【図８Ａ】
2018002260.tif 000016
【図８Ｂ】
2018002260.tif 000017